(57)【要約】【課題】エアー抜きの作業により外部に放出される薬液の量を最小限に抑えて、薬液内の気泡を効果的に除去することができる容器兼用注射器を提供することを目的とする。【解決手段】容器兼用注射器３０において、フロントストッパー１０の外周面１１に、該フロントストッパー１０の後端面１０ｂに開口して先端側に向かって延びる薬液導入溝１２を、周方向に間隔を空けて複数形成し、筒先２０における嵌着孔２４の前方側に、フロントストッパー１０の先端側部分が移入して嵌り込むバイパスチャンバー２５を設け、バイパスチャンバー２５の内壁面に、バイパスチャンバー２５に移入したフロントストッパー１０の薬液導入溝１２が接続されるとともにルアー先２３の導入孔２３ａに連絡するバイパス溝２５を設ける。そして、複数の薬液導入溝１２のうち、一の薬液導入溝１２を、他の薬液導入溝１２ｂよりも先端側に向かって長く延びた長尺薬液導入溝１２ａとする。【選択図】図２
2011098163.tif 000002
【特許請求の範囲】
【請求項１】
軸線を中心とする略円筒状をなす外筒と、基端側の嵌着孔を介して前記外筒の先端外周に外嵌されるとともに、注射針に薬液を導入する導入孔が形成されたルアー先を有する筒先と、前記外筒内の先端側に液密に嵌入されるフロントストッパーと、前記外筒内の後端側に液密に嵌入されるエンドストッパーと、前記外筒の後端側から該外筒内に挿入されて前記エンドストッパーに連結されるプランジャロッドとを備えた容器兼用注射器において、
前記フロントストッパーの外周面に、該フロントストッパーの後端面に開口して先端側に向かって延びる薬液導入溝が、周方向に間隔を空けて複数形成され、
前記筒先における前記嵌着孔の前方側に、前記フロントストッパーの先端側部分が移入して嵌り込むバイパスチャンバーが設けられ、
該バイパスチャンバーの内壁面に、前記バイパスチャンバーに移入した前記フロントストッパーの薬液導入溝が接続されるとともに前記導入孔に連絡するバイパス溝が設けられ、
前記複数の薬液導入溝のうち、一の前記薬液導入溝が、該一の薬液導入溝以外の他の前記薬液導入溝よりも先端側に向かって長く延びていることを特徴とする容器兼用注射器。
【請求項２】
前記フロントストッパーが前記バイパスチャンバーの前端面に当接した際に、前記他の薬液導入溝の先端が前記バイパス溝に接続されることを特徴とする請求項１に記載の容器兼用注射器。
【請求項３】
前記フロントストッパーが前記バイパスチャンバーの前端面に当接した際に、前記フロントストッパーの後端側部分が前記外筒内の先端に嵌入されていることを特徴とする請求項１又は２に記載の容器兼用注射器。
【発明の詳細な説明】
【技術分野】
【０００１】
本発明は、薬液を予め充填・保管しておき、使用時に包装から取り出して直ちに使用することが可能な容器兼用注射器に関する。
【背景技術】
【０００２】
容器兼用注射器は、予め薬液が充填されているため、医療機関において煩雑な操作をすることなく包装から取り出して直ちに使用できる。よって、利便性に優れていることから、医師や看護師等の医療業務に携わる者の作業軽減に大いに貢献し、このため多くの病医院で採用されている。
【０００３】
従来、この容器兼用注射器としては、外筒と、該外筒内の前後端側に嵌入され、外筒内に充填された薬液を液密に封止するフロントストッパー及びエンドストッパーと、外筒の先端に外嵌され、フロントストッパーが入り込むバイパスチャンバー及びその先端の注射針を取り付けるためのルアー先が設けられた筒先と、外筒の後端に嵌着されたフィンガーグリップと、外筒の後端部から外筒内に挿入されてエンドストッパーに連結されたプランジャロッドとを備えたものが知られている（例えば、特許文献１参照）。
【０００４】
このような容器兼用注射器を使用するには、プランジャロッドによってエンドストッパーを押し込むことで、薬液と共にフロントストッパーを前方へ押し進める。そして、フロントストッパーが外筒から押し出されて筒先のバイパスチャンバー内に入り込むと、エンドストッパー間に密封されていた薬液における先端側の密封が解除される。これにより、当該薬液が外筒内からバイパスチャンバー内に流出し、該バイパスチャンバーの内壁面に設けられたバイパス溝に沿ってルアー先の内面に誘導されて注射針へと導入される。
【先行技術文献】
【特許文献】
【０００５】
【特許文献１】特開２００７−１１１１５６号公報
【発明の概要】
【発明が解決しようとする課題】
【０００６】
ところで、一般的に、薬液を注射器によって直接体内の必要な部位に薬液を注入する医療行為である注射においては、薬液中に混入した気泡が患者の体内に注入されるのを防止するため、注射の前段階としてプランジャロッドを僅かに押し込むことによるエアー抜きの作業が行われる。この作業によって、上記容器兼用注射器においては、外筒内の気泡がバイパス溝を通過して注射針の先端から薬液とともに注射器外部に放出される。
【０００７】
しかしながら、薬液の種類によっては非常に高価なものもあり、エアー抜きの作業により薬液が外部に放出されることは経済的な観点から好ましくない。また、患者に投与する量が厳密に定められている薬液の場合には、上記のようなエアー抜きにより患者に投与されることのない薬液が生じると、規定量を患者に投与することができなくなり、医療行為上も好ましくない。
それにも関わらず、従来の容器兼用注射器においては、薬液内に残留する気泡を可能な限り除去すべくエアー抜きの過程においてプランジャロッドを大きく押し込む必要があり、無駄になる薬液の量が多いものとなっていた。
【０００８】
この発明はこのような課題に鑑みてなされたものであって、薬液内の気泡を効果的に除去することができる容器兼用注射器を提供することを目的とする。
【課題を解決するための手段】
【０００９】
前記課題を解決するため、この発明は以下の手段を提案している。
即ち、本発明に係る容器兼用注射器は、軸線を中心とする略円筒状をなす外筒と、基端側の嵌着孔を介して前記外筒の先端外周に外嵌されるとともに、注射針に薬液を導入する導入孔が形成されたルアー先を有する筒先と、前記外筒内の先端側に液密に嵌入されるフロントストッパーと、前記外筒内の後端側に液密に嵌入されるエンドストッパーと、前記外筒の後端側から該外筒内に挿入されて前記エンドストッパーに連結されるプランジャロッドとを備えた容器兼用注射器において、前記フロントストッパーの外周面に、該フロントストッパーの後端面に開口して先端側に向かって延びる薬液導入溝が、周方向に間隔を空けて複数形成され、前記筒先における前記嵌着孔の前方側に、前記フロントストッパーの先端側部分が移入して嵌り込むバイパスチャンバーが設けられ、該バイパスチャンバーの内壁面に、前記バイパスチャンバーに移入した前記フロントストッパーの薬液導入溝が接続されるとともに前記導入孔に連絡するバイパス溝が設けられ、前記複数の薬液導入溝のうち、一の前記薬液導入溝が、該一の薬液導入溝以外の他の前記薬液導入溝よりも先端側に向かって長く延びていることを特徴とする。
【００１０】
このような特徴の容器兼用注射器においてエアー抜きを行なう際には、容器兼用注射器の先端側を上方に向け、かつ、一の薬液導入溝を上方に向けた状態で該容器兼用注射器を保持する。これにより、薬液内の気泡は、フロントストッパーにおける一の薬液導入溝付近に集中する。そして、この状態でプランジャロッドを押し込んでフロントストッパーを前進させと、フロントストッパーにおける一の薬液導入溝が他の薬液導入溝よりも先端側に向かって延びていることから、一の薬液導入溝のみが先立ってバイパス溝に接続される。すると、この一の薬液導入溝付近に集中されていた気泡は、該一の薬液導入溝、バイパス溝及び導入孔を介してルアー先の先端から容器兼用注射器外部に放出される。
【００１１】
また、本発明に係る容器兼用注射器は、前記フロントストッパーが前記バイパスチャンバーの前端に当接した際に、前記他の薬液導入溝の先端が前記バイパス溝に接続されることを特徴とする。
【００１２】
一の薬液導入溝のみがバイパス溝に接続された状態からプランジャロッドをさらに押しこむと、フロントストッパーが最前方まで、即ち、バイパスチャンバーの前端に当接するまで移動した際にようやく他の薬液導入溝がバイパス溝に接続される。ここで、一の薬液導入溝のみがバイパス溝に接続されてから他の薬液導入溝がバイパス溝に接続されるまでの間、プランジャロッドの押し込みにより上昇した外筒内の圧力は、その大部分がフロントストッパーを前進させる力として消費され、一部が気泡及び薬液を一の薬液導入溝に流し込む力として消費される。即ち、プランジャロッド押し込む動作をもって僅かな力で気泡及び薬液を外部に導くことができるため、外部に放出される薬液の量を最小限に抑えながら、当該薬液とともに気泡を外部に放出することが可能となる。
【００１３】
さらに、本発明に係る容器兼用注射器においては、前記フロントストッパーが前記バイパスチャンバーの先端面に当接した際に、前記フロントストッパーの後端側部分が前記外筒内の先端に嵌入されていることを特徴とする。
【００１４】
フロントストッパーが最前方まで移動した状態からフロントストッパーをさらに押し込むと、フロントストッパーの後端側部分は外筒に嵌入した状態にあるため、当該外筒内の薬液及び残留した気泡は複数の薬液導入溝を通過して外部に導かれることになる。この際、薬液が狭い薬液導入溝を流通することでその流速は大きなものとなるため、この流れに促されるようにして薬液内の気泡を効率よく外部に導くことができる。
【発明の効果】
【００１５】
本発明の容器兼用注射器によれば、薬液内の気泡を一の薬液導入溝付近に集中させて当該一の薬液導入溝のみを外部に連通させることにより、薬液内の気泡を効果的に除去することが可能となる。
【図面の簡単な説明】
【００１６】
【図１】実施形態に係る容器兼用注射器の縦断面図である。
【図２】図１の部分拡大図である。
【図３】フロントストッパーの縦断面図である。
【図４】フロントストッパーの側面図である。
【図５】フロントストッパーの前面図である。
【図６】長尺薬液導入溝がバイパス溝に接続された状態を示す縦断面図である。
【図７】長尺薬液導入溝に加えて短尺薬導入溝がバイパス溝に接続された状態を示す縦断面図である。
【発明を実施するための形態】
【００１７】
以下、本発明の実施の形態に係る容器兼用注射器について、図面を参照して詳細に説明する。図１は実施形態に係る容器兼用注射器の縦断面図、図２は図１の部分拡大図である。
【００１８】
図１に示すように、容器兼用注射器３０は、外筒１と、その先端側（図１における左側、以下同じ）に取り付けられた筒先２０と、外筒１の後端側（図１における右側、以下同じ）の外周に嵌着された合成樹脂製のフィンガーグリップ４と、外筒１内に充填された薬液ｍを先端側から封止するフロントストッパー１０及び後端側から封止するエンドストッパー５と、外筒１内に後端側から挿入されて先端部がエンドストッパー５に連結され、該エンドストッパー５を外筒１の軸線Ｏ方向に往復動させるプランジャロッド６とを備えている。
【００１９】
外筒１は、透明なガラスからなる軸線Ｏに沿って延びる円筒形状をなしており、その内部には薬液ｍが充填され、その先端側がフロントストッパー１０によって封止されるとともに、後端側がエンドストッパー５によって封止されている。
【００２０】
外筒１の後端外周には、リング状突起１ａが設けられており、該リング状突起１ａがフィンガーグリップ４の円筒孔部４ａに形成されたリング状溝４ｂに嵌合することによって、フィンガーグリップ４が外筒１に強固に取り付けられている。
なお、フィンガーグリップ４は、外筒１に別途取り付けられる構成の他、外筒１と一体に形成されたものであってもよい。
【００２１】
エンドストッパー５は、外筒１の内径より僅かに大きな外径の軸線Ｏを中心とした略円柱形状をなし、薬液ｍに対して耐食性を備える医療用ゴムから形成されている。容器兼用注射器３０の未使用時においては、このエンドストッパー５は、外筒１内の後端側に位置するように該外筒１内に液密に嵌入されている。
【００２２】
筒先２０は、図１及び図２に示すように、適度な剛性を備えた透明な合成樹脂からなる外形多段円柱状をなしており、円筒形状をなす基端部２１と、該基端部２１の先端側に一段縮径するように結合された円筒部２２と、該円筒部２２のさらに先端側に円筒部２２よりも小径に形成されたルアー先２３とを備えている。
【００２３】
上記基端部２１の内側には、筒先２０の後端側に開口する嵌着孔２４が形成されており、該嵌着孔２４の前方側、即ち、円筒部２２の内側には、有底穴状のバイパスチャンバー２５が形成されている。なお、このバイパスチャンバー２５の底部に当たる箇所が、後述するフロントストッパー１０が当接する前端面２５ａとされ、この前端面２５ａは、詳しくは図２に示すように、前方側に向かって僅かに縮径する円錐面状に形成されている。
【００２４】
また、上記ルアー先２３の内部には、軸線Ｏに沿って貫通された導入孔２３ａが形成されており、該導入孔２３ａには、軸線Ｏに沿って先端側に延びる注射針８が連通状態にして取り付けられている。
なお、容器兼用注射器３０の未使用時においては、注射針８を覆うカバー（図示省略）が筒先２０の先端に取り付けられている。
【００２５】
上記嵌着孔２４は、外筒１に筒先２０を取り付けるために形成された孔であって、その内径は外筒１の外径と略同一に形成されている。この嵌着孔２４を外筒１先端に外嵌させることによって、筒先２０が外筒１の先端側に取り付けられるようになっている。
【００２６】
また、詳しくは図２に示すように、嵌着孔２４の内周壁の前端部には軸線Ｏを中心としたリング状溝２４ａが形成されている。また、外筒１先端外周にはリング状突起１ｂが形成されており、筒先２０を外筒１先端側に取り付けた際に、リング状突起１ｂがリング状溝２４ａに嵌り込むことによって、筒先２０が外筒１に強固に固定一体化される。
【００２７】
上記バイパスチャンバー２５は、その内径が嵌着孔２４よりも一段小径とされた有底穴であって、その内周壁にはバイパス溝２６が形成されている。このバイパス溝２６は直線溝２６ａと環状溝２６ｂとから構成されている。
【００２８】
直線溝２６ａは、バイパスチャンバー２５の内壁面において軸線Ｏと平行に延びるように周方向に等間隔を空けて複数が形成されており、これら直線溝２６ａの先端側は、バイパスチャンバー２５の内壁面から前端面２５ａに延びてルアー先２３の内部に形成された導入孔２３ａにそれぞれ接続されている。
【００２９】
また、環状溝２６ｂは、軸線Ｏを中心周方向に延びる円環状の溝であって、バイパスチャンバー２５の内壁面における該バイパスチャンバー２５と嵌着孔２４との境界付近に形成されている。この環状溝２６ｂは、上記複数のバイパス溝２６それぞれの後端に接続され、これらバイパス溝２６を互いに接続している。
【００３０】
そして、フロントストッパー１０は、詳しくは図２〜図５に示すように、外筒１よりも僅かに大きな外径の軸線Ｏを中心とした略円柱形状をなし、薬液ｍに対して耐食性を備える医療用ゴムから形成されている。容器兼用注射器３０の未使用時においてフロントストッパー１０は、外筒１の先端側に位置するように該外筒１の内側に嵌入されている。
【００３１】
また、図３及び図４に示すように、フロントストッパー１０における先端側を臨む先端面１０ａは、先端側に向かうに従って僅かに縮径する円錐面とされており、当該円錐面の傾斜率は、上記バイパスチャンバー２５における前端面２５ａと液密に密着可能となるように、当該前端面２５ａの傾斜率と同一とされている。また、フロントストッパー１０の後端面１０ｂは、軸線Ｏに直交する略平坦面とされており、該後端面１０ｂには、突起１０ｃが適宜設けられている。
【００３２】
また、フロントストッパー１０の外周面１１には、図３〜図５に示すように、その後端面１０ｂに開口するとともに該フロントストッパー１０の先端側に向かって延びる薬液導入溝１２が周方向に等間隔をあけて複数（本実施形態においては６つ）形成されている。
【００３３】
これら複数の薬液導入溝１２のうち、一の薬液導入溝１２ａは、他の薬液導入溝１２ｂよりも、フロントストッパー１０の後端面１０ｂから先端側に向かっての寸法、即ち、軸線Ｏ方向の寸法の長い長尺薬液導入溝１２ａとされている。また、他の複数の薬液導入溝１２ｂは、軸線Ｏ方向の寸法が長尺薬液導入溝１２ａよりも短い短尺薬液導入溝１２ｂとされている。なお、この複数の短尺薬液導入溝１２ｂにおける軸線Ｏ方向の寸法は全て同一とされている。
【００３４】
ここで、図３に示すように、フロントストッパー１０の外周面１１における先端面１０ａから短尺薬液導入溝１２ｂの先端までの長さは、バイパスチャンバー２５の内壁面における軸線Ｏに沿った方向の長さと略一致するように構成されている。これにより、バイパスチャンバー２５内にフロントストッパー１０が入り込み、フロントストッパー１０の先端面１０ａがバイパスチャンバー２５の前端面２５ａに当接してはじめて、短尺薬液導入溝１２ｂがバイパス溝２６に接続されることになる。また、この状態においては、フロントストッパー１０の外周面１１のうち、周方向に短尺薬液導入溝１２ｂが存在する領域のみが外筒１内に嵌着された状態となる。
【００３５】
以上のような構成の容器兼用注射器３０を用いて患者に注射を行う際には、薬液ｍ内に残留した気泡を除去するエアー抜きの作業を行う。このエアー抜きの際には、まず容器兼用注射器３０の先端側を上方に向け、かつ、長尺薬液導入溝１２ａを上方に向けた状態で該容器兼用注射器３０を保持する。これにより、薬液ｍ内の気泡は、フロントストッパー１０の後端面１０ｂにおける長尺薬液導入溝１２ａ付近に集中する。
【００３６】
そして、この状態でプランジャロッド６を押し込んでフロントストッパー１０を前進させる。すると、フロントストッパー１０における長尺薬液導入溝１２ａが他の短尺薬液導入溝１２ｂよりも先端側に向かって延びていることから、図６に示すように、長尺薬液導入溝１２ａのみが先立ってバイパス溝に接続される。すると、長尺薬液導入溝１２ａ付近に集中されていた気泡は、該長尺薬液導入溝１２ａ、バイパス溝２６及び導入孔２３ａを介してルアー先２３の先端から容器兼用注射器３０外部に放出される。これによって、気泡の大部分を容器兼用注射器３０外部に容易に除去することができる。
【００３７】
そして、このように長尺薬液導入溝１２ａのみがバイパス溝２６に接続された状態からプランジャロッド６をさらに押しこむと、図７に示すようにフロントストッパー１０が最前方まで移動した際、即ち、フロントストッパー１０の先端面１０ａがバイパスチャンバー２５の前端面２５ａに当接した際に、複数の短尺薬液導入溝１２ｂがはじめてバイパス溝２６に接続される。
【００３８】
ここで、長尺薬液導入溝１２ａのみがバイパス溝２６に接続されてから短尺薬液導入溝１２ｂがバイパス溝２６に接続されるまでの間、プランジャロッド６の押し込みにより上昇した外筒１内の圧力は、その大部分がフロントストッパー１０を前進させる力として消費され、一部が気泡及び薬液ｍを長尺薬液導入溝１２ａに流し込む力として消費される。
【００３９】
即ち、プランジャロッド６を押し込む動作による圧力が、フロントストッパー１０の前進と、気泡及び薬液ｍの排出とに分配されることから、気泡及び薬液ｍを排出するのにに適した圧力でもってこれら気泡及び薬液ｍを外部に導くことができる。これにより、外部に放出される薬液ｍの量を最小限に抑えながら、当該薬液ｍとともに気泡を外部に放出することが可能となる。
【００４０】
そして、フロントストッパー１０が最前方まで移動した状態から該フロントストッパー１０をさらに押し込むと、フロントストッパー１０の後端側部分、即ち、周方向に短尺薬液導入溝１２ｂが存在する部分のみが外筒１の先端に嵌入した状態にある。よって、当該外筒１内の薬液ｍ及び残留した気泡は、必ず、薬液導入溝１２を通過して外部に導かれることになる。このように薬液ｍが狭い薬液導入溝１２を流通することでその流速は大きなものとなるため、この流れに促されるようにして薬液ｍ内に残留した気泡を効率よく外部に導くことができる。
【００４１】
以上、本発明の実施の形態である容器兼用注射器３０について説明したが、詳細に説明したが、本発明の技術的思想を逸脱しない限り、これらに限定されることはなく、多少の設計変更等も可能である。
【符号の説明】
【００４２】
１    外筒
１ａ  リング状突起
１ｂ  リング状突起
４    フィンガーグリップ
５    エンドストッパー
６    プランジャロッド
８    注射針
１０  フロントストッパー
１０ａ       先端面
１０ｂ       後端面
１１  外周面
１２  薬液導入溝
１２ａ       長尺薬液導入溝（薬液導入溝）
１２ｂ       短尺薬液導入溝（薬液導入溝）
２０  筒先
２１  基端部
２２  円筒部
２３  ルアー先
２３ａ       導入孔
２４  嵌着孔
２５  バイパスチャンバー
２５ａ       前端面
２６  バイパス溝
２６ａ       直線溝
２６ｂ       環状溝
３０  容器兼用注射器
ｍ    薬液
【図１】
2011098163.tif 000003
【図２】
2011098163.tif 000004
【図３】
2011098163.tif 000005
【図４】
2011098163.tif 000006
【図５】
2011098163.tif 000007
【図６】
2011098163.tif 000008
【図７】
2011098163.tif 000009